(57)【特許請求の範囲】
【請求項１】
左右の端子取付け部を有する両切りのプランジャ型電磁継電器において、断面コ字型のコンタクトに孔を設け、接点室カバーの上面に、左右の端子取付け部を結ぶ方向である接点室カバーの左右方向に接点室カバーの左右方向端部から端子ボルトの位置まで伸長し一端が開放する、溝を設け、端子ボルトの頭部をコンタクトのコ字の内側に置いてコンタクトの孔に端子ボルトを挿通させたまま、端子ボルトの頭部を接点室カバーの溝に溝伸長方向に溝一端の開放端から溝奥までスライドさせ係合させるとともに、コンタクトを接点室カバーに溝伸長方向にスライドさせ装着した電磁継電器。
【請求項２】
前記左右の端子取付け部は共通構造を有する請求項１記載の電磁継電器。
【発明の詳細な説明】
【０００１】
【発明の属する技術分野】
本発明は、電磁継電器に関し、とくに電磁継電器の端子取付け構造に関する。
【０００２】
【従来の技術】
特開平７−２３５２４８号公報は、従来の代表的な、左右の端子取付け部を有する両切りのプランジャ型電磁継電器の構造を開示している。
上記従来の両切りのプランジャ型電磁継電器では、端子取付け部の組付けに手間がかかるので、図５に示す端子取付け部の組付け構造の採用が検討された。図５の端子ボルトの組み付け構造は、接点室カバー１にナット２を埋め込み固定しておき、そこにコンタクト３とケーブル側端子４を置いて、ボルト５をナット２にねじ込み、ボルト頭部とナットでコンタクト３とケーブル側端子４を挟み込んで固定するものであった。
【０００３】
【発明が解決しようとする課題】
しかし、図５の構造では、ボルトが接点室カバーに底付きしてしまい、ナットとケーブル側端子を十分な力で挟持できず、接触部の締結に安定性のばらつきをなくすため確認が必要であった。
本発明の目的は、端子取付け部の組付け性を向上させた、かつ端子取付け部での接触不良が生じない電磁継電器を提供することにある。
【０００４】
【課題を解決するための手段】
上記目的を達成する本発明はつぎの通りである。
（１）  左右の端子取付け部を有する両切りのプランジャ型電磁継電器において、断面コ字型のコンタクトに孔を設け、接点室カバーの上面に、左右の端子取付け部を結ぶ方向である接点室カバーの左右方向に接点室カバーの左右方向端部から端子ボルトの位置まで伸長し一端が開放する、溝を設け、端子ボルトの頭部をコンタクトのコ字の内側に置いてコンタクトの孔に端子ボルトを挿通させたまま、端子ボルトの頭部を接点室カバーの溝に溝伸長方向に溝一端の開放端から溝奥までスライドさせ係合させるとともに、コンタクトを接点室カバーに溝伸長方向にスライドさせ装着した電磁継電器。
（２）  前記左右の端子取付け部は共通構造を有する（１）記載の電磁継電器。
【０００５】
上記（１）の電磁継電器では、コンタクトの孔に端子ボルトを挿通させたまま、端子ボルトの頭部を接点室カバーの溝にスライドさせ係合させてあるので、端子ボルトにケーブル側端子を嵌めてナットを端子ボルトにねじ込むだけで端子取付け部を組み付けることができ、端子取付け部の組付け性が向上され、かつ、ナットを端子ボルトにしめ込んでもボルトの底付きがなく、十分にしめ込むことができ、端子取付け部での接触不良はない。
上記（２）の電磁継電器では、左右の端子取付け部は共通構造を有するので、別構造を有する場合に比べてコストダウンをはかることができる。
【０００６】
【発明の実施の形態】
以下に、本発明の電磁継電器の実施例を図１〜図４を参照して、説明する。
まず、本発明実施例の電磁継電器１０の一般的構造とその作用を説明する。
本発明実施例の電磁継電器１０は、コイルアッセンブリ３０上に接点室アッセンブリ１１を組付けたものからなる。この電磁継電器１０は両切りのプランジャ型電磁継電器からなる。この電磁継電器１０は、たとえばハイブリッド自動車のバッテリーとインバータとを接続する回路に設けられるが、使用先はそれに限るものではない。
【０００７】
接点室アッセンブリ１１は、コイルアッセンブリ３０上に配置されるパッキン１２と、パッキン１２の上に配置される樹脂製のポール１３と、上壁と四側の側壁を有しポール１３上に配置され樹脂製のポール１３と協同して内部に接点室１５を形成する樹脂製の接点室カバー１４と、接点室１５に固定して配置される固定接点１６と、固定接点１６に対して上下動して電気の接続をオンオフする可動接点１７と、可動接点１７を支持しコイルアッセンブリ３０のプランジャによって上下動され導電性材からなる可動接点支持体１８と、可動接点支持体１８を常時下方に付勢するスプリング１９と、上下両脚と上下両脚を連結する連結部とからなるコ字状断面を有しコ字の上下両脚で接点室カバー１４を上下から挟み連結部は接点室カバー１４の外側で上下方向に延び下の脚が接点室１５内に入って固定接点１６と接続する導電性材からなるコンタクト２０と、コンタクト２０の上の脚と接触して上方に延びる導電性材からなる端子ボルト２１と、を有する。
【０００８】
固定接点１６および可動接点１７は、それぞれ、左右一対設けられており、両切りの電磁継電器を構成している。コンタクト２０、端子ボルト２１も、左右一対設けられている。固定接点１６と可動接点１７端子が接触した時には、高電圧電流（たとえば、２５０Ｖ）が一方の端子ボルト２１から一方のコンタクト２０を介して一方の固定接点１６に流れ、一方の固定接点１６から一方の可動接点１７に流れ、一方の可動接点１７から可動接点支持体１８を通って他方の可動接点１７に流れ、他方の可動接点１７から他方の固定接点１６に流れ、他方の固定接点１６から他方のコンタクト２０を介して他方の端子ボルト２１に流れる。
また、固定接点１６と可動接点１７端子が接触が切れた時には、左右の接点が両切りされ、一対の端子ボルト２１間の電流が遮断される。
【０００９】
コイルアッセンブリ３０は、底付き円筒形状のヨーク３１と、ヨーク３１内に設置されるボビン３２と、ボビン３２の外周に巻かれたコイル３３と、ボビン３２の内周に配置された固定コア３４と、固定コア３４の上方に上下動可能に配置されたプランジャ３５と、プランジャ３５の上下動を可動接点支持体１８に伝えるプランジャロッド３６と、コイル通電時にヨーク３１、固定コア３４、プランジャ３５と協同して磁気回路を形成するプレート３７と、固定コア３４とプランジャ３５との間に配置されてプランジャ３５を常時上方に付勢するリターンスプリング３８と、コイル３３に低電圧直流電流（たとえば、１２Ｖ）を流す低電圧端子３９と、を有する。これによって、プランジャ型の電磁継電器を構成している。
【００１０】
コイル３３に低電圧直流電流が流れると、ヨーク３１、プレート３７、固定コア３４、プランジャ３５に磁気回路が形成されて、リターンスプリング３８の圧縮を伴って、プランジャ３５が固定コア３４に磁気的に吸着され、可動接点支持体１８が下方に移動して可動接点１７が固定接点１６に当たり、端子ボルト２１間に高電圧電流が流れる。
コイル３３の低電圧直流電流が切られると、磁気回路が消え、リターンスプリング３８の付勢によって可動接点支持体１８が上方に移動し、可動接点１７が固定接点１６から離れ、端子ボルト２１間の高電圧電流が遮断される。
【００１１】
つぎに、本発明に特有な高電圧側の端子取付け構造とその作用を説明する。
上記の、左右の端子取付け部を有する両切りのプランジャ型電磁継電器において、断面コ字型のコンタクト２２のコ字の上脚に該上脚を貫通する孔５０を設けておく。また、接点室カバー１４の上面に、接点室カバー１４の左右方向（一対の端子ボルト２１を結ぶ方向）端部から端子ボルト２１の位置まで延びる溝５１を設けておく。溝５１の深さは端子ボルト２１のボルト頭部の厚さ以上であり、溝５１の幅はボルト頭部の対向２辺をスライド可能に受け入れる幅とされている。溝５１は接点室カバー１４の左右方向端において開放しており、それと反対側端（溝奥端）においてボルト頭部の六角形状に係合する形状５２（正六角形の隣接２辺）となっている。
【００１２】
端子ボルト２１の頭部をコンタクト２０のコ字の内側に置いてコンタクト２０の孔５０に端子ボルト２１の軸部を挿通させたまま、端子ボルト２１の頭部を接点室カバー１４の溝５１にスライドさせて奥まで入れボルト頭部を溝５１の奥に係合させるとともに、コンタクト２０を接点室カバー１４にスライドさせ接点室カバー１４に装着する。
ケーブル側端子は端子ボルト２１に嵌められ、ナットを端子ボルト２１にねじ込むことにより、端子ボルト２１に締結される。端子ボルト２１の頭部が溝５１の両側面および奥の六角の２辺形状に係合しているので、まわり止めされており、ナット締め込み時に端子ボルト２１が回ることはない。
【００１３】
装着状態では、端子ボルト２１の頭部は溝５１内にあり、端子ボルト２１の軸部はコンタクト２０の孔５０を挿通して上方に延びている。
また、コンタクト２０は、コ字の両脚で接点室カバー１４を上下から挟んでいる。コ字の上脚の下面は接点室カバー１４の上面に接触しており、コ字の両脚を連結する部分は接点室カバー１４の側壁の外側で上下方向に延びており、コ字の下脚は接点室カバー１４の側壁の下端で接点室側に折れ曲がって接点室１５内に延びている。コンタクト２０は、接点室カバー１４に装着された状態において、コ字の上脚、下脚は、左右方向（一対の端子ボルトを結ぶ方向）と直交する方向に延びている。また、左右一対のコンタクト２０は、図３に示すように、一対の端子ボルトの中間点を対称の中心として点対称になるように配置されている。
また、左右の端子取付け部は、共通構造を有する。左右のコンタクト２０、端子ボルト２１は、同じ構造のものを用いることができる。
【００１４】
作用については、コンタクト２０の孔５０に端子ボルト２１を挿通させたまま、端子ボルト２１の頭部を接点室カバー１４の溝５１にスライドさせ係合させてあるので、端子ボルト２１にケーブル側端子を嵌めてナットを端子ボルトにねじ込むだけで端子取付け部を容易に組み付けることができ、端子取付け部の組付け性が向上される。また、ナットを端子ボルト２１にしめ込んでも、図５のような端子ボルト２１の接点室カバー１４への底付きがなく、ナットを十分にしめ込むことができ、端子取付け部での接触不良はない。
また、左右の端子取付け部は共通構造を有するので、２種類のものを用意する必要がなく、１種類のものを左右に用いることができるため、別構造を有する場合に比べてコストダウンをはかることができる。
【００１５】
【発明の効果】
請求項１の電磁継電器によれば、コンタクトの孔に端子ボルトを挿通させたまま、端子ボルトの頭部を接点室カバーの溝にスライドさせ係合させてあるので、端子ボルトにケーブル側端子を嵌めてナットを端子ボルトにねじ込むだけで端子取付け部を組み付けることができ、端子取付け部の組付け性が向上され、かつ、ナットを端子ボルトにしめ込んでもボルトの底付きがなく、十分にしめ込むことができ、端子取付け部での接触不良はない。
請求項２の電磁継電器によれば、左右の端子取付け部は共通構造を有するので、別構造を有する場合に比べてコストダウンをはかることができる。
【図面の簡単な説明】
【図１】本発明実施例の電磁継電器の半断面図（図３のＡ−Ａ線断面図）である。
【図２】本発明実施例の電磁継電器の半側面図である。
【図３】本発明実施例の電磁継電器の平面図である。
【図４】本発明実施例の電磁継電器のコンタクトの斜視図である。
【図５】電磁継電器の検討用の（本発明には含まず）端子取付け部の組付け構造の断面図である。
【符号の説明】
１０  電磁継電器
１１  接点室アッセンブリ
１２  パッキン
１３  ポール
１４  接点室カバー
１５  接点室
１６  固定接点
１７  可動接点
１８  可動接点支持体
１９  スプリング
２０  コンタクト
２１  端子ボルト
３０  コイルアッセンブリ
３１  ヨーク
３２  ボビン
３３  コイル
３４  固定コア
３５  プランジャ
３６  プランジャロッド
３７  プレート
３８  リターンスプリング
３９  低電圧端子
５０  孔
５１  溝
【図１】
0003695326.tif 000002
【図２】
0003695326.tif 000003
【図３】
0003695326.tif 000004
【図４】
0003695326.tif 000005
【図５】
0003695326.tif 000006